(57)【要約】【課題】全面モールド封止部と強固なラッチ部を有するコネクタ【解決手段】前部および後部本体（５０、４０）と周囲のシェル（１２）とを有する電気コネクタ組立て体は、注入部材の漏れを避ける方式により、ケーブル（２０）の周りにそして後部本体通路（７０）内にモールドされた注入部材（７２）を有する。シェルの外側表面はコネクタを効果的に掴むために外側に突出する尾根状部（１２４、１４１〜１４４）を有し、そして、前部本体は強固なラッチ腕部（１７４）を用いてシェルに取付けることができる。本体の差し込みコネクタ（５２、５４）の前方に位置するＯリング（８０）は、圧力下で通路内に流れる注入部材の漏れを制限する。外側シェルは正確な保持を容易にしそしてコネクタ上での親指の滑りを防止するループ状に延在する尾根状部（１２４、１４１〜１４４）を有するようにしてモールドされる。【選択図】　　図１
2004006319.tif 000002
【特許請求の範囲】
【請求項１】
電気コネクタ組立て体であって、
前部および後部本体（５０、４０）と、なお前記前部本体は複数のコンタクト受入れ通路（３４）を備えたコンタクト保持部（３２）を含み、そして前記前部本体はスレッド（５２）を有する後部部分（４６）を含み、
前記後部本体はケーブルを受入れる通路（７０）を形成する後部部分を有し、そして前記前部本体の前記スレッド（５２）に差し込まれて接続されるスレッド（５４）を有する前部部分を有し、
前記通路の１つにそれぞれ取付けられ、後部部分（６６）を有する複数のコンタクト（２２）と、
被覆部（６８）を有しそして前記被覆部内に複数のワイヤ（６０）を有するケーブル（２０）と、なお前記被覆部は個々のワイヤの前部部分を残すために前部部分が取除かれており、前記ワイヤの前部部分のそれぞれは前記コンタクトの１つの後部部分（６６）において終了し、そして前記被覆されたケーブルは前記後部本体の通路を通りその外に後方に延在し、
注入部材（７２）の全量が前記後部本体の通路内に位置し、そして前記ワイヤの前部部分（６０）およびコンタクト後部部分（６６）の周囲にそして前記ケーブルの周囲にモールドされ、
前記前部および後部本体は前記スレッドに隣接して位置する、隣接する主として円筒状の表面（８２、８４）を有し、前記円筒状の表面の第１のものは溝（８６）を有し、
前記第１の円筒状の表面の前記溝に位置し、そして他の円筒状の表面を押圧してそれらの間に放射状の封止を形成するＯリングと、
を含むコネクタ組立て体。
【請求項２】
前記後部本体の前部部分は内側スレッド（５４）を形成し、そして前記前部本体の後部部分は外側スレッド（５２）を形成し、
前記前部本体の後部部分（４６）は前記外側スレッド（５２）を形成するスリーブの形状をした部分であり、そして円筒状の内側表面（４７）を形成し、そして前記前部本体の前記コンタクト保持部（３２）は前記スリーブの形状をした部分の前記円筒状の内側表面（４７）内に位置する後部部分（４５）を有し、そしてこれらの間には間隙が残されており、
前記間隙内に、そして前記前部本体部分の前記スリーブの形状をした部分（４６）に内側で近接し、そして前記コンタクト保持部分の前記円筒状の後部部分（４５）にその周りで近接して位置する前部部分（４４）を有するワイヤを囲むスリーブ（４２）を有し、それによって注入部材の漏れを最小にする、
請求項１記載のコネクタ組立て体。
【請求項３】
前記注入部材（７２）は弾性を有する、
請求項１記載のコネクタ組立て体。
【請求項４】
前記前部および後部本体をそれぞれ囲む前部および後部シェル部分を有するシェル（１２）を有し、
前記シェルは軸（１２６）を有し、そして前記シェルの後部部分は主として円筒状のシェル外側表面（１２２）を有し、
前記シェルは前記シェルの外側表面から放射方向に突出する少なくとも１つの尾根状部（１２４）を有してモールドされ、前記尾根状部は前記シェルの円周上の２つの相対する側部のうちの一方のみに位置し、そして主として円周上に尾根状部後部部分（１３２）を有する、
請求項１記載のコネクタ組立て体。
【請求項５】
前記尾根状部は、前記尾根状部後部部分（１３２）の相対する側部から前方に延在する相対する尾根状部側部部分（１３０、１３２）を有し、前記尾根状部後部部分は前記尾根状部側部部分の平均よりさらに放射方向に外側に突出する、
請求項４記載のコネクタ組立て体。
【請求項６】
前部および後部シェル部分（１１０、１１２）を有するシェル（１２）と、なお、前記前部シェル部分は前方に面するシェル肩部（１８２）を備える複数のスロット（１０４）を有し、
前記前部本体（５０）は複数のラッチ腕部（１７４）を有するロック・スリーブ（３０）を含み、ラッチ腕部のそれぞれは一対の主として軸方向に延在するスロット（１７０、１７２）により形成され、各ラッチ腕部は、前記シェル肩部（１８２）の１つと隣接可能な後方に面するスリーブ肩部（１８０）を有する放射方向に外側方向への突起部（１７６）を有し、
前記スロットの各々は各々がスロット拡大部（１９０、１９２）を形成する前部および後部端部を有し、各スロットはその長さの大部分に沿って所定の細いスロットの円周方向の幅（Ｃ）を有し、そして各スロットはそれぞれが前記所定の細いスロットの円周方向の幅よりもより大きい円周方向の幅（Ｂ）を有する相対する端部を有し、そして端部は互いの方に延在する、
請求項１記載のコネクタ組立て体。
【請求項７】
軸（１２６）を有し、モールドされたプラスチック外側シェル（１２）を有する電気コネクタであって、
前記コネクタは、縦方向に間隔をおいて配置されたコンタクトが結合する前部端部と、コンタクトへのワイヤが終了する後部端部（６６）とを有するコンタクト（２２）を有し、前記シェルは主として円筒状の外側表面を有し、ここで、
前記シェルの外側表面は、主として縦方向に延在する相対する尾根状部側部（１３０、１３２）を備え、そして、前記尾根状部側部の後部端部の間に延在する主として円周上に延在する後部尾根状部部分（１３２）とを備える、ループ状に延在する少なくとも１つの放射方向に外側に突出する尾根状部（１２４）を有するコネクタ。
【請求項８】
前記尾根状部側部は前部端部を有し、そして前記後部尾根状部部分（１３２）は前記尾根状部側部の前端部よりも前記シェル軸から放射方向にさらに突出する、
請求項７記載のコネクタ。
【請求項９】
主として前記尾根状部側部の間で人の親指を容易に受入れるように、前記尾根状部側部は円周方向に約２ｃｍの幅（Ｗ）により間隔を置いて配置されている
請求項８記載のコネクタ。
【請求項１０】
前記尾根状部は前記シェルの外側表面の第１の側部に位置し、前記シェルの外側表面は第１の側部と直径方向に反対の第２の側部（１５０）を有し、第２の側部には尾根状部がなく、それによって前記シェルが保持されるべき前記軸のおよその向きを示す、
請求項７記載のコネクタ。
【請求項１１】
前記シェルの外側表面は複数の放射方向に突出する尾根状部要素（１４１〜１４４）を有する第１の側部を有し、それぞれは１つの尾根状部要素のループが他の尾根状部要素の他のループの中に位置するように、ループ状に延在する、
請求項７記載のコネクタ。
【請求項１２】
前方および後方に延在する複数の通路（３４）と、前記通路に位置する複数のコンタクト（２２）とを有する第１の本体（５０）と、なお、前記コンタクトは第２の本体（４０）の通路を通って後方に引き出されるケーブルのワイヤ（６０）に対して終了する後部コンタクト端部（６６）を有し、
前記第１の本体の後部部分の差し込まれる第１の円筒状表面（５４）と、差し込みにより組合わされる、差し込まれる第２の円筒状の表面（５２）とを備える前部部分を有する第２の本体と、を有する電気コネクタ組立て体を組立てる方法であって、
前記第２の本体の前記通路に、注入部材（７２）を充填のために適用し、
前記第１および第２の本体を互いに封止するための流動可能な注入部材の流出を停止させるるために、前記差し込み部分に近接する位置にＯリング（８０）を設置する、
工程を有する方法。
【請求項１３】
前記第１の本体は前記コンタクトを保持する通路を形成するコンタクト保持部（３２）を含み、そして前記第２の本体の通路（４７）内に後方に突出しており、前記コンタクト保持部の後部部分外側と前記第２の本体の内側との間に間隙を有し、そして
ワイヤを囲むスリーブ（４２）を前記第２の本体の前記通路の内側に設置する工程を含み、前記スリーブの前部部分（４４）は前記コンタクト保持部と前記第２の本体との間の前記間隙内に位置する、
請求項１２記載の方法。
【発明の詳細な説明】
【０００１】
【発明の属する技術分野】
本発明はモールド封止部とラッチ部を有するコネクタに関する。
【０００２】
【従来の技術】
一般的な電気コネクタの形式は、コンタクト保持通路を有する前部本体、後部本体、および本体を囲むシェル（ｓｈｅｌｌ）を含む。そのワイヤの前部端部がコンタクトの後部端部において終了するケーブルが、後部本体内の通路を通って延在し、そしてコネクタから引き出される。後部本体はコンタクトに関する接合部を封止するためにケーブルの周囲を注入部材により満たすことができる。しかしながら、注入部材が圧力をかけて後部本体の後部から注入された時、注入部材は後部本体の前部から漏洩しがちである。かかる漏洩は避けるのが望ましい。
【０００３】
【発明が解決しようとする課題】
モールドされたシェルは、それを結合し、そして結合を解除する場合に、シェルを前方に押すためにそしてそれを後方に引張るために、人の手によってしっかりと保持される、主として円筒状の表面を有する。シェルがシェルの何処を掴むべきかを人に示し、シェルに対する人の親指の滑りに対して大きな摩擦を生じさせることが望ましいであろう。
【０００４】
前部および後部本体がケーブルの周りで組立てられた後、本体の組立て体は前方にシェル内に挿入され、その中で前部本体のスナップ・ロック・スリーブ内に形成された一対の腕部により保持される。腕部は壊れ易く、そしてかかる破壊を避ける構造は価値のあるものであろう。
【０００５】
【課題を解決するための手段】
本発明の一実施の形態によれば、ケーブルの周囲に圧力をかけて封止された注入材料、どのようにしてシェルを保持すべきかを示しそして滑りを防ぐシェルの周囲の把持部、そして、本体組立て体をシェルに固定する高低のあるラッチ腕部（ｌａｔｃｈ　ａｒｍ）、とを有する電気コネクタ組立て体が提供される。本体組立て体は、差し込み結合（ｔｈｒｅａｄｅｄ　ｃｏｎｎｅｃｔｉｏｎ）により互いに結合される前部および後部組立て体を含み、そして、ケーブルがそれに沿って延在しそしてコネクタの後部に出るための通路内に、圧力下で注入される注入部材を有する。差し込み接続の前方に隣接して位置するＯリングは、注入部材が未だ流動可能な場合において、圧力により注入された材料の漏れに対する封止を提供する。
【０００６】
シェルはモールドまたは鋳造されたもので、滑りを避ける外側表面を有する。外側表面は軸に関して一方の側に少なくとも１つの尾根状部を有し、尾根状部はループ状に延在し、そして主としてシェルの軸と平行に延在する相対する側部、およびこの側部と結合しそしてさらにシェルの外側表面の領域の大部分よりも放射方向に外側に突出する（ｐｒｏｊｅｃｔ）後部リブ部分を含む。望ましくは小さいループで延在する付加的な尾根状部が大きいループ内に位置する。シェルの反対側は尾根状部を有しない。このことは、人に親指により畝上部においてシェルを保持することを奨励し、そして、特に他の結合するコネクタから、コネクタの結合を解除するためにシェルが後方に引張られた場合における滑りを防止する。
【０００７】
前部本体は、本体組立て体をシェルに取付け固定するために、シェルの開口部内にスナップする（ｓｎａｐ）突起部を有する一対のラッチ腕部を有する。ラッチ腕部は、１つのラッチ腕部を形成する拡大された相対する端部を有するスロットの夫々を形成することにより、より強固に形成され、そして望ましくは、各ラッチ腕部の相対する側部において、スロットの残りの部分からさらにお互いの方に突出する拡大部を有する。
【０００８】
本発明の新規な特徴は特に特許請求の範囲において述べられている。本発明は添付された図面と関連させて読むことにより、以下の記載から良く理解されるであろう。
【０００９】
【発明の実施の形態】
図１は、前部および後部シェル部分１４、１６を有するシェル１２を備えた、本発明の電気コネクタ１０を示す。コネクタの後部から延在するケーブル２０はコンタクト２２に接触するワイヤを有し、そしてこのコネクタはコネクタ１０が前方にＦ方向に動くことにより他のコネクタと適合する。図５は、このコネクタがスナップ・ロック・スリーブ（ｓｎａｐ　ｌｏｃｋ　ｓｌｅｅｖｅ）３０およびコンタクト２２を保持する通路３４を有するコンタクト保持部３２を含む前部本体５０を含むことを示す。後部本体４０は前部本体に後方に位置、そしてワイヤを囲むスリーブ４２が後部本体４０内に主として位置する。
【００１０】
図６は組立てられた部品を示す。コンタクト２２はコンタクト保持部３２の通路３４内に固定されており、そしてコンタクト保持部はスナップ・ロック・スリーブ３０内に位置する。保持部３２およびスリーブ３０は、後部本体の前部の内側のねじ筋部であるスレッド（ｔｈｒｅａｄ）５４と、押し分けて進む差し込みによって組合される、前部本体の後部の外側スレッド５２により、後部本体４０に取付けられる前部本体５０の一部である。かかる差し込み可能な取付けの前に、ケーブル２０のワイヤ６０は露出されそしてコンタクトの後端部分の穴部に挿入される導体部６４を有し、そして、かしめまたは半田付けにより適切に保持される。さらにケーブルはワイヤの周りに位置する被覆部６８を有する。
【００１１】
ケーブルのワイヤはコンタクトの後部部分において終了し、そして後部本体４０が差し込みにより前部本体に取付けられた後、後部本体の通路７０は注入部材（ｐｏｔｔｉｎｇ　ｍａｔｅｒｉａｌ）７２が充填される。エポキシのような堅い注入部材を使用できるが、ケーブル２０に対するストレスを軽減するために、一般にはシリコーンのような弾性を有する注入部材を準備することが望まれる。即ち、弾性材料は、ケーブル２０が後方Ｒおよび前方Ｆに対して垂直方向に引っ張られた場合には、横方向に反る。多くの場合、注入部材は少なくとも１ｐｓｉの圧力の下で、望ましくは約９ｐｓｉで通路に注入される。このことは注入部材が後部コンタクト部分６６の周辺領域を信頼性を有して封止することを確実にする。注入部材の一部はコンタクト保持部３２の後部部分４５の周囲にそしてスレッド５２、５４間の間隙を通して漏れるようにすることができる。エポキシのような注入部材が使用される場合には、圧力をかけずに使用することができる。
【００１２】
この実施の形態においては、スナップ・ロック・スリーブ３０の後部部分および後部本体４０の前部部分の外側および内側円筒面８２、８４間に、Ｏリングシール８０を準備する。Ｏリングは内側面のような円筒面の１つに形成された溝８６内に位置する。その結果、流動可能な注入部材が圧力をかけて通路内に注入されスレッド間に漏れる場合において、Ｏリング８０は注入部材がさらに漏れるのを防止する。注入部材の漏洩はシェル１２およびスナップ・ロック・スリーブ３０間の運動を妨げそして防止することとなり、結果として、正確には動作しない締付け機能がなされることになる。注入部材が固まった後、特に注入部材が堅い場合、後部本体の後部とケーブル２０に固定部（ｂｏｏｔ）９０を適用することができる。多くの場合、柔軟性のある注入部材は柔軟性のある固定部を形成し、そして別個の固定部は必要としない。
【００１３】
この実施の形態においては、コンタクト保持部の後部部分４５の外側とスナップ・ロック・スリーブの後部部分４６の内側４７との間に近接して位置する前部端部４４を有するワイヤを囲むスリーブ４２が提供される（なお「近接」とはそれらの間が０．０２インチ（０．０５ｃｍ）より小さい間隙を有することを意味する。）。いくらかの漏れた注入部材は、スレッド５２、５４およびＯリング８０に達する以前に、ワイヤを囲むスリーブの前部端部の内側を前方を通り、続いて外側に沿って後方を通る。
【００１４】
コンタクトの挿入および注入部材のモールドの前に、スナップ・ロック・スリーブ３０がシェル内において前方向Ｆに挿入される。かかる挿入は、前部本体のスナップ・ロック・スリーブ３０に形成された２つのラッチ部（ｌａｔｃｈ）１００、１０２（図５参照）が、シェルの後部端部１１２より小さい直径を有するシェルの前部端部１１０のラッチ部受入れ開口部１０４内にスナップ（ｓｎａｐ）するまで続けられる。コンタクトおよび他の部品が組立てられ、そして注入部材がモールドされ、そして凝固を可能にする。続いて、延伸するケーブルをその後部に有するシェル１２は、シェルを把持しそしてそれを前方に押すことにより、図６において１１４で指示される他のコネクタと結合することが可能となる。コネクタの結合の解除は、人がしっかりとシェルの後部部分１１２を掴み、シェルを後方Ｒ方向に引くことにより行われる。コネクタのある購入者にとっては、５ポンド以下の後方への力により、容易にラッチを解除するために、ラッチ部の肩部１８０が角度付けされることに留意すべきである。他の顧客に関してはラッチを解除するためには大きい後方への力が必要とされる。多くの場合において、結合するよりも結合を解除するほうがより難しい。
【００１５】
特に結合を解除するときに、人の指がシェル１２上で滑るのを防止するために、本実施の形態においては、図１〜３の１２０により示すような把持表面部分を形成する。この把持表面部分は、主としてシェルの後部部分の円筒状表面１２２上に形成され、そして主として円筒状表面１２２の外側に（シェルの軸１２６に対して）放射方向に突出するリブ（ｒｉｂ）または尾根状部（ｒｉｄｇｅ）１２４を含む。尾根状部１２４（図２参照）はループ状に延在し、主として前方（Ｆ方向）そして後方（Ｒ方向）に縦方向Ｍに延在するか、または軸１２６に平行な尾根状部側部部分１３０、１３２を有する。この尾根状部はさらに主として円周上に延在する端部尾根状部分１３２を含み、これは主として軸１２６に対する円周上に延在する。軸１２６に対して４５°の線１３４は側部および端部の尾根状部分１３０、１３２間の点１３６において接する。本実施の形態においては、最も外側のまたは主要な尾根状部１２４のループに対し、ループ状で平行にそれぞれ延在する追加の尾根状部１４１〜１４４を提供する。
【００１６】
主要な尾根状部の側部は円周上において約１２０°の角度により間隔をおいて軸１２６の周りに配置されている。図３に示されているように、尾根状部１２４の反対側に位置するシェル後部部分の反対側１５０には尾根状部はない。尾根状部を含む側の部分１５２は、さらに方向と軸の周りの回転位置を示す前部および後部を向く矢印１５４、１５６を含む（例えば、コネクタは結合するためには、回転させられるよりもむしろ押し付けられる。）。結合するコネクタは、コネクタがそれらの矢印が整列するように結合されるべきであることを人に示すために、対応する矢印を有することができる。
【００１７】
図３に示すように、後部端部の円周上に延在する尾根状部分１３２は他の尾根状部の部分よりも軸１２６からさらに突出する。これはコネクタを掴む人の親指Ｔに対する支持部を提供する。図２に示すように尾根状部は親指が尾根状部に対して適合可能な大きさである約２ｃｍの幅Ｗを有する。
【００１８】
図５に示すように、そして先に延べたように、前部および後部本体はスレッド５２、５４の組合わせにより互いに保持され、本体組立て体１５８（図６参照）はシェルの前部部分のラッチ部受入れ開口部１０４内にパチッとはまるスナップ・ロック・スリーブのラッチ部１００、１０２（図５参照）によりシェル中に保持される。図７〜１０はスナップ・ロック・スリーブとラッチ部１００、１０２についての詳細を図示する。大きなコネクタにおいては３個またはそれよりも多いラッチ部でさえ備えることが可能であるとは云え、ラッチ部１００、１０２は同じものであり、軸１２６に対して直径方向において反対側に位置する。ラッチ部１００は軸１２６に平行に延在する一対のスロット（ｓｌｏｔ）１７０、１７２によって形成され、これらはこれらの間にラッチ腕部１７４を形成する。ラッチ腕部はさらに軸１２６に対し放射方向に外側に突出しそして後方に向いた肩部１８０を形成する突起部１７６を有する。図５において、後方に向いた肩部１８０はシェル開口部１０４内にパチッとはまり、そして前方に向いたシェル肩部１８２の前方に位置する。
【００１９】
１７０で示すようなスロット（図７参照）は、閉じた端部である前部および後部端部１９０、１９２を有し、結果として、１７４のようなラッチ腕部は片持ち梁ではなく、スナップ・ロック・スリーブ３０の支え部分（ｒｅｓｔ）１７６と合体する対向する端部を有する。その結果、より強いラッチ腕部を形成することになる。しかしながら、柔軟性が減少しスリーブ内に、特にスロット１７０、１７２の相対する端部において、クラックが生ずるという結果をもたらす可能性がある。本実施の形態においては、拡大されたスロット端部１９０、１９２を形成することにより、スロット端部における集中するストレスを避ける。即ち、１９２のような各スロット端部は円周方向に幅Ｂを有し（図８参照）、これはスロットの残りの部分の幅Ｃおよびスロットの平均の幅よりも大きい。幅Ｂは幅Ｃの２倍より大きいことが望ましい。このことは結果としてスロットの相対する端部におけるストレスが分散され、そしてその結果として、より強固なラッチ腕部が形成される。それらの間に１つのラッチ腕部１７４を形成する２つのスロットの１９２および１９３のようなスロットの端部の拡大（図８参照）は互いの方向に突出する。このことはラッチ腕部の端部の幅を減少させ、より大きな柔軟性のために、より大きな湾曲が生ずる。
【００２０】
図１０に示される突起部１７６は、相対する側壁２００、２０２および後部壁２０４を有し、側部の突起部と後部壁２０４の間に形成された間隙２０６を有する。この構造は材料の量を低減し、注入成形されたスナップ・ロック・スリーブのより均一な冷却を可能にする。以前にプラスチック材料が成形された時に生じた縮小が間隙２０６内に存在する。側壁２００、２０２が後部壁２０４を十分に支えるため、後方への移動に対抗する後部壁２０４の力は十分である。側壁２００、２０２は放射方向に外側にそして後方に傾斜して延在する。
【００２１】
このように、本発明は、前部本体のコンタクト保持体の通路内に位置するコンタクト、および後部本体の通路を通って延在するケーブル、そして前部および後部本体による組立て体を有し、周囲部のシェル内の所定の位置においてラッチされる互いに結合される前部および後部本体を含むコネクタ組立て体を提供する。望ましくは弾性を有する注入部材は後部本体の通路内に圧力下で注入される。漏れは、ワイヤを囲むスリーブにより、そして軸方向に差し込みにより組合わされる本体の端部の先に位置するＯリングにより減少する。シェルの外側は一方の側に尾根状部を有するように成形される。主要な尾根状部はループ状に延在し、主要な尾根状部よりも小さい付加的な尾根状部が主要な尾根状部のループ内に位置する。主要な尾根状部の後部は円周上に延在し、そして残りの尾根状部よりもさらに放射方向に突出する。スリーブの前部部分の開口部内にラッチするためのラッチ部を有するスナップ・ロック・スリーブは、拡大された前部および後部端部を有するスロットにより形成されたラッチ腕部を有し、そして各ラッチ腕部上において間隙を備える突起部を有する。
【００２２】
例え、ここでは本発明に係る特定の実施の形態について記載し図示しているとしても、この技術分野の熟練者にとって改良および変形は容易に行うことができるものと認識されるべきであり、その結果、特許請求の範囲はかかる改良や同等のものに対してもカバーするものと解釈されることを意図するものである。
【図面の簡単な説明】
【図１】図１は本発明によるコネクタの前部の等尺度による転倒した図である。
【図２】図２は図１のコネクタの上面図である。
【図３】図３は図１のコネクタの側面図である。
【図４】図４は図１のコネクタの下面図である。
【図５】図５は図１の転倒したコネクタについて、分解した部品の相互関係を示す等尺度による図である。
【図６】図６は図１のコネクタの断面図であり、組立てられた全ての部品を有し、そしてコネクタの右側が上になっている図である。
【図７】図７は前部の等尺度による図であり、図５のコネクタに関してパチット音をたてて組合わされるスリーブの図である。
【図８】図８は図７のスリーブの断面図である。
【図９】図９は図７のスリーブの側部の立面図である。
【図１０】図１０は図７のスリーブの平面図である。
【符号の説明】
１０　…　電気コネクタ
１２　…　シェル
１４　…　前部シェル部分
１６　…　後部シェル部分
２０　…　ケーブル
２２　…　コンタクト
３０　…　スナップ・ロック・スリーブ
３２　…　コンタクト保持部
３４　…　通路
４０　…　後部本体
４２　…　ワイヤを囲むスリーブ
４４　…　前部端部
４５　…　後部部分
４６　…　後部部分
４７　…　内側
５０　…　前部本体
５２　…　外側スレッド
５４　…　内側スレッド
６０　…　ワイヤ
６４　…　導体部
６６　…　後部コンタクト部分
６８　…　被覆部
７０　…　通路
７２　…　注入部材
８０　…　Ｏリングシール
８２　…　外側円筒面
８４　…　内側円筒面
８６　…　溝
９０　…　固定部
１００、１０２　…　ラッチ部
１０４　…　ラッチ部受入れ開口部、スロット
１１０　…　前部端部
１１２　…　後部端部
１１４　…　他のコネクタ
１２０　…　把持表面部分
１２２　…　円筒状表面
１２４　…　リブまたは尾根状部
１２６　…　軸
１３２　…　端部尾根状部分
１３４　…　線
１３６　…　点
１４１〜１４４　…　尾根状部
１５０　…反対側
１５２　…部分
１５４、１５６　…　矢印
１５８　…　本体組立て体
１７０、１７２　…　スロット
１７４　…　ラッチ腕部
１７６　…　支え部分
１８０　…　肩部
１８２　…　シェル肩部
１９０　…　前部端部
１９２　…　後部端部
１９３　…　スロット端部
２００、２０２　…　側壁
２０４　…　後部壁
２０６　…　間隙
【図１】
2004006319.tif 000003
【図２】
2004006319.tif 000004
【図３】
2004006319.tif 000005
【図４】
2004006319.tif 000006
【図５】
2004006319.tif 000007
【図６】
2004006319.tif 000008
【図７】
2004006319.tif 000009
【図８】
2004006319.tif 000010
【図９】
2004006319.tif 000011
【図１０】
2004006319.tif 000012
【手続補正書】
【提出日】平成15年7月23日(2003.7.23)
【手続補正１】
【補正対象書類名】明細書
【補正対象項目名】０００２
【補正方法】変更
【補正の内容】
【０００２】
【従来の技術】
一般的な電気コネクタの形式は、コンタクト保持通路を有する前部本体、後部本体、および本体を囲むシェル（ｓｈｅｌｌ）を含む。そのワイヤの前部端部がコンタクトの後部端部において終了するケーブルが、後部本体内の通路を通って延在し、そしてコネクタから引き出される。後部本体はコンタクトに関する接合部を封止するためにケーブルの周囲を注入部材により満たすことができる。しかしながら、注入部材が圧力をかけて後部本体の後部から注入された時、注入部材は後部本体の前部から漏洩しがちである。かかる漏洩は避けるのが望ましい。
【特許文献１】ＵＳ−６５１１３３７
【特許文献２】ＵＳ−６３６１３４２
【特許文献３】ＵＳ−６３３８６５７
【特許文献４】ＵＳ−５５９３３２０